(57)【要約】
【課題】実用性の高い、使用上便利なＵＳＢパワーアンプスピーカーの接続装置を提供することを課題とする。
【解決手段】上部蓋Ｂと下部蓋Ｃと回路基板ＤとスピーカーＥとから構成されており、チップ（デジタル変換チップ、及びパワーアンプチップ）Ｇを回路基板Ｄ上に設け、ＵＳＢコネクタＦと接続し一体にする。出力端子Ｉは光プラグとミニプラグの両方を使用できるものを採用することができる。本装置ＡをＵＳＢコネクタＦにより、コンピューターのＵＳＢポートと接続することにより、スピーカーなどに対して十分な増幅された音声信号を出力することができる。
【選択図】図１
0003100695.tif 000002
【実用新案登録請求の範囲】
【請求項１】
主にデジタル変換チップ、及びパワーアンプチップが同一のＵＳＢコネクタ上に設けられており、スピーカーと接続されて、パソコンなどのＵＳＢ端子からの信号を直接音声信号に出力することによって一体に構成されていることを特徴とするＵＳＢパワーアンプスピーカーの接続装置。
【請求項２】
主にデジタル変換チップ、及びパワーアンプチップ、及び出力端子が同一のＵＳＢコネクタ上に設けられ、接続されていることを特徴とするＵＳＢパワーアンプスピーカーの接続装置。
【請求項３】
前記出力端子は、スピーカー及びイヤホンのいずれとも接続して音声を出力可能なことを特徴とする請求項２に記載のＵＳＢパワーアンプスピーカーの接続装置。
【請求項４】
前記出力端子は、光端子と接続可能で、光ケーブル入力に伴う変換器、或いはアンプに接続して音声を出力することを特徴とする請求項２に記載のＵＳＢパワーアンプスピーカーの接続装置。
【請求項５】
前記出力端子は、一般信号出力と光信号出力を兼ねた端子として、直接、光出力、イヤホン、スピーカーの３種を接続して使用することを可能としたことを特徴とする請求項２に記載のＵＳＢパワーアンプスピーカーの接続装置。
【請求項６】
前記ＵＳＢコネクタは、ＵＳＢ延長ケーブルを用いてコンピューターと接続することが可能な請求項２に記載のＵＳＢパワーアンプスピーカーの接続装置。
【請求項７】
前記回路基板とＵＳＢコネクタを分離した形態で、回路基板本体は、スピーカー内に設置されておらず、ＵＳＢコネクタと連結されていることを特徴とするＵＳＢパワーアンプスピーカーの接続装置。
【請求項８】
前記回路基板とＵＳＢコネクタは、延長ケーブルにより分離され、出力端子、或いは、引き込み線により延長されてスピーカーと接続されていることを特徴とするＵＳＢパワーアンプスピーカーの接続装置。
【請求項９】
組合せの部品は、ＵＳＢ本装置、引込み線モジュール、スピーカーの三種類から構成され、これらを別個の部品として、分離・連結する連結方式が形成されることを特徴とするＵＳＢパワーアンプスピーカーの接続装置。
【考案の詳細な説明】
【技術分野】
【０００１】
本考案はＵＳＢパワーアンプスピーカーの接続装置に係り、特にデジタル変換チップ、及びパワーアンプチップが同一のＵＳＢコネクタ上に設けられており、スピーカーと接続され一体となっており、デジタル変換チップ、及びパワーアンプチップの回路基板がスピーカー内に設けられていないので、スピーカーの体積を小さくすることが可能で、持ち運びに便利で、更に、出力を増幅することができ、音響効果に優れており、サウンドカード、ＡＣ（電源）線、変圧器、ＵＳＢケーブルが必要なく、ＵＳＢケーブルを使用せずに一般のスピーカーケーブルを使用し、取り付けが簡単で、多種方式の接続を採用することができ、本考案をコンピューターのＵＳＢポートに接続した後、直接音声を出力することができるので便利なＵＳＢパワーアンプスピーカーの接続装置に関わる。
【背景技術】
【０００２】
一般的なスピーカーはＡＣ（電源）線、変圧器、ＵＳＢケーブルが必要で、更に回路基板がスピーカー内に取り付けられているために、スピーカーの体積が大きくなり、持ち運びに不便で、取り付けが複雑で、更に、出力を増幅することができず、音響効果が悪く、製造コストも高く、そのため世間から非難されており、前述の制限のために、持ち運びに便利な設計を施すことは不可能で、そのために使用者が減少し、広く使われることができなかった。
【特許文献１】特開平１１−０２７７７６公報
【考案の開示】
【考案が解決しようとする課題】
【０００３】
前記公知構造の欠点を解決するために、本考案は、ＵＳＢ接続が採用されているので使用上便利で、デジタル変換チップ、及びパワーアンプチップが同一のＵＳＢコネクタ上に設けられており、スピーカーと接続され一体となっており、デジタル変換チップ、及びパワーアンプチップの回路基板がスピーカー内に設けられていないので、スピーカーの体積を小さくすることが可能で、持ち運びに便利で、更に、出力を増幅することができ、音響効果に優れており、サウンドカード、ＡＣ（電源）線、変圧器、ＵＳＢケーブルが必要なく、ＵＳＢケーブルを使用せずに一般のスピーカーケーブルを使用し、取り付けが簡単で、多種方式の接続を採用することができる、実用性の高い、使用上便利なＵＳＢパワーアンプスピーカーの接続装置を提供することを課題とする。
【課題を解決するための手段】
【０００４】
前記課題を解決するために、請求項１の考案は、主にデジタル変換チップ、及びパワーアンプチップが同一のＵＳＢコネクタ上に設けられており、スピーカーと接続され一体となっており、直接音声を出力することができ、直接スピーカーと接続されているために、使用が簡単で、持ち運びに便利で、出力を増幅することができ、音響効果に優れていることを特徴とするＵＳＢパワーアンプスピーカーの接続装置である。
【０００５】
請求項２の考案は、主にデジタル変換チップ、及びパワーアンプチップ、及び出力端子が同一のＵＳＢコネクタ上に設けられ、接続されていることを特徴とするＵＳＢパワーアンプスピーカーの接続装置である。
【０００６】
請求項３の考案は、前記出力端子には、スピーカーを接続し音声を出力することも、イヤホンを接続し音声を出力することもできることを特徴とする請求項２に記載のＵＳＢパワーアンプスピーカーの接続装置である。
【０００７】
請求項４の考案は、前記出力端子は、光端子を採用することが可能で、光ケーブル入力を持つ解読器、或いはアンプ上に接続して音声を出力することを特徴とする請求項２に記載のＵＳＢパワーアンプスピーカーの接続装置である。
【０００８】
請求項５の考案は、前記出力端子は、一般信号出力と光信号出力を合わせた端子を採用しており、直接、光出力、イヤホン、スピーカーの３種を接続して使用することが可能なことを特徴とする請求項２に記載のＵＳＢパワーアンプスピーカーの接続装置である。
【考案の効果】
【０００９】
デジタル変換チップ、及びパワーアンプチップの回路基板がスピーカー内に設けられていないので、音響効果に優れた音声を出力することができ、スピーカーを小さくすることができ、持ち運びに便利である。
【００１０】
コンピューターの取り付けに関する経験が必要なく、誰でも簡単に使用できる。
ＡＣ（電源）が必要ない。変圧器が必要ない。
デジタル変換チップ、及びパワーアンプチップが同一のＵＳＢコネクタ上に設けら  れているので、出力を増幅することができ、コストを下げることが可能である。
多種方式の接続が可能で、柔軟性に富んでいる。
コストが低く、使用者が増える、複雑な取り付け作業が必要ない、実用性を具有す  るなどの産業上の利用価値を持つ。
【考案を実施するための最良の形態】
【００１１】
本考案は、ＵＳＢ接続が採用されているので使用上便利で、デジタル変換チップ、及びパワーアンプチップが同一のＵＳＢコネクタ上に設けられており、スピーカーと接続され一体となっており、デジタル変換チップ、及びパワーアンプチップの回路基板がスピーカー内に設けられていないので、スピーカーの体積を小さくすることが可能で、持ち運びに便利で、更に、出力を増幅することができ、音響効果に優れており、サウンドカード、ＡＣ（電源）線、変圧器、ＵＳＢケーブルが必要なく、ＵＳＢケーブルを使用せずに一般のスピーカーケーブルを使用し、取り付けが簡単で、多種方式の接続を採用することができる、実用性の高い、使用上便利なＵＳＢパワーアンプスピーカーの接続装置であり、本考案の好適な実施例を図面に沿って説明する。
【実施例１】
【００１２】
図１に示すように、本装置Ａは上部蓋Ｂと下部蓋Ｃと回路基板ＤとスピーカーＥとから構成されており、チップ（デジタル変換チップ、及びパワーアンプチップ）Ｇは回路基板Ｄ上に設けられており、ＵＳＢコネクタＦと接続されて一体になっており、上部蓋Ｂと下部蓋Ｃは図２に示すような形状で結合されており、図８に示すように、本装置ＡはＵＳＢコネクタＦにより、コンピューターのＵＳＢポートと接続されている。
【００１３】
図３、４、５に示すように、本装置Ａは出力端子Ｉにより、スピーカーＥとイヤホンＫの両者を使用することや、或いは、光プラグＬだけを接続し、信号の出力を行うことが可能である。
【００１４】
図３〜５に示すように、出力端子Ｉは光プラグＬとミニプラグＪの両方を使用することができ、出力端子ＩはスピーカーＥ、イヤホンＫ、光ケーブルＭを接続することができるので、使用者は必要に応じて選択することができ、汎用性を高めることができる。
【００１５】
図６は出力設備の全体構成を示す図であり、本考案の多様性と汎用性を十分に表したものであり、出力設備が如何なるものであろうと、本考案は、ＵＳＢコネクタによりパソコンと接続することができ、チップ（デジタル変換チップ、及びパワーアンプチップ）Ｇにより、処理と変換が行われた信号は、いずれかの設備に出力される。
【００１６】
図７は、前記チップ（デジタル変換チップ、及びパワーアンプチップ）Ｇの機能の流れを示すプロック図であり、図中の機能の流れは、全てチップ（デジタル変換チップ、及びパワーアンプチップ）Ｇに集まっており、ＵＳＢ伝送の規格に従い、伝送、及び動作が行われる。ＵＳＢ規格は、公知の公開された規格である。
【００１７】
図８，９に示すように、本装置Ａの２種類の実施例として、パソコンＨであろうと、ノートパソコンであろうと、ＵＳＢポートが設けられていれば、該ポートにより本考案Ａを接続し、即座に使用することができる。
【００１８】
図１０，１１は、出力設備とチップ（デジタル変換チップ、及びパワーアンプチップ）Ｇ両者間の接続を示した図であり、図に示すように、多くの用途と汎用性持ち、該チップ（デジタル変換チップ、及びパワーアンプチップ）Ｇにより音声に対して処理が施され出力増幅倍数を大きくし、音響効果を良くする。
【００１９】
図１３に示すように、本装置Ａは、ＵＳＢの延長ケーブルＱを使用してコンピューターと接続することが可能である。
【００２０】
図１２に示すように、接続線Ｐを用い、ＵＳＢコネクタを回路基板Ｄから分離し、回路基板本体（回路基板と蓋の結合）Ｏを独立した個体にすることができる。
【００２１】
図１４に示すように、Ｙ型接続ケーブルＲを用い、出力端子Ｉとスピーカーを接続することが可能である。
【００２２】
図１５に示すように、出力ケーブルＳを一体成型の方式で回路基板本体（回路基板と蓋の結合）Ｏと接続し、出力を行うことが可能である。
【図面の簡単な説明】
【００２３】
【図１】本装置における立体分解図である。
【図２】本装置における立体図である。
【図３】本装置の出力端子における第一実施例である。
【図４】本装置の出力端子における第二実施例である。
【図５】本装置の出力端子における第三実施例である。
【図６】本装置における出力実施例の全体構成を示す図である。
【図７】本装置におけるチップ（デジタル変換チップ、及びパワーアンプチップ    ）の機能の流れを示すブロック図である。
【図８】本装置におけるパソコンとの接続を示す図である。
【図９】本装置におけるノートパソコンとの接続を示す図である。
【図１０】本装置におけるチップ（デジタル変換チップ、及びパワーアンプチップ    ）の関係を示す図である。
【図１１】本装置におけるチップ（デジタル変換チップ、及びパワーアンプチップ    ）の全体の関係構成を示す図である。
【図１２】本装置における回路基板とＵＳＢコネクタの分離の実施例である。
【図１３】本装置における接続方式の実施例である。
【図１４】本装置における回路基板とＵＳＢコネクタを分離後の接続方式のもう一    つの実施例である。
【図１５】本装置における回路基板とＵＳＢコネクタを分離後に一体成型の方式で    接続した実施例である。
【符号の説明】
【００２４】
Ａ  本装置
Ｂ  上部蓋
Ｃ  下部蓋
Ｄ  回路基板
Ｅ  スピーカー
Ｆ  ＵＳＢコネクタ
Ｇ  チップ（デジタル変換チップ、及びパワーアンプチップ）
Ｈ  パソコン
Ｉ  出力端子
Ｊ  ミニプラグ
Ｋ  イヤホン
Ｌ  光プラグ
Ｍ  光ケーブル
Ｎ  ノートパソコン
Ｏ  回路基板本体（回路基板と蓋の結合）
Ｐ  接続ケーブル
Ｑ  ＵＳＢ延長ケーブル
Ｒ  Ｙ型接続ケーブル
Ｓ  出力ケーブル
【図１】
0003100695.tif 000003
【図２】
0003100695.tif 000004
【図３】
0003100695.tif 000005
【図４】
0003100695.tif 000006
【図５】
0003100695.tif 000007
【図６】
0003100695.tif 000008
【図７】
0003100695.tif 000009
【図８】
0003100695.tif 000010
【図９】
0003100695.tif 000011
【図１０】
0003100695.tif 000012
【図１１】
0003100695.tif 000013
【図１２】
0003100695.tif 000014
【図１３】
0003100695.tif 000015
【図１４】
0003100695.tif 000016
【図１５】
0003100695.tif 000017
【手続補正書】
【提出日】平成15年10月27日(2003.10.27)
【手続補正１】
【補正対象書類名】実用新案登録請求の範囲
【補正対象項目名】請求項７
【補正方法】変更
【補正の内容】
【請求項７】
前記デジタル変換チップ、及びパワーアンプ、及び出力端子は、回路基板に搭載されて回路基板本体を構成することによりＵＳＢコネクタとは構造上分離した形態でＵＳＢコネクタと連結されており、回路基板本体は、スピーカー内に設置されていないことを特徴とする請求項２記載のＵＳＢパワーアンプスピーカーの接続装置。
【手続補正２】
【補正対象書類名】実用新案登録請求の範囲
【補正対象項目名】請求項８
【補正方法】変更
【補正の内容】
【請求項８】
前記回路基板本体とＵＳＢコネクタとは、延長ケーブルにより構造上分離された形態で連結されると共に、出力端子より接続くケーブルなどの引き込み線により延長されてスピーカーと接続されていることを特徴とする請求項２記載のＵＳＢパワーアンプスピーカーの接続装置。
【手続補正３】
【補正対象書類名】実用新案登録請求の範囲
【補正対象項目名】請求項９
【補正方法】変更
【補正の内容】
【請求項９】
ＵＳＢコネクタ又は回路基板本体、引込み線、スピーカーの三つの要素から構成され、これらを別個の部品として、分離・連結する連結方式が形成されることを特徴とする請求項２又は７記載のＵＳＢパワーアンプスピーカーの接続装置。